(57)【要約】【課題】従来と比較して高コスト化を防止しつつ多様な遊び方を実現する。【解決手段】リモコン玩具１は、動作制御可能な玩具本体３と、玩具本体３に着脱可能に形成されたリモコン２とを備える。リモコン２は、リモコン２の加速度及び傾きを検知する加速度センサ２２，傾斜センサ２１と、加速度センサ２２，傾斜センサ２１による検知結果に対応する種類の操作信号を玩具本体３に対して出力する制御部２５とを有する。玩具本体３は、操作信号を受信して当該操作信号に対応する種類の制御信号を出力する制御部３４と、制御信号に対応する種類の動作を行う動作部３３と、玩具本体３に対するリモコン２の着脱状態を検知するリモコン着脱センサ３２と、リモコン２が玩具本体３に対して装着されている場合と、脱着されている場合とで、出力される制御信号の種類を切り替えるための記憶部３５とを有する。【選択図】図１
2008295519.tif 000002
【特許請求の範囲】
【請求項１】
動作制御可能な玩具本体と、
前記玩具本体に着脱可能に形成されたリモコンと、
を備え、
前記リモコンは、
当該リモコンの加速度及び傾きの少なくとも一方を検知する状態検知手段と、
前記状態検知手段による検知結果に対応する種類の操作信号を前記玩具本体に対して出力するリモコン側制御手段と、
を有し、
前記玩具本体は、
前記操作信号を受信して当該操作信号に対応する種類の制御信号を出力する本体側制御手段と、
前記制御信号に対応する種類の動作を行う動作手段と、
を有し、
前記リモコン側制御手段または前記本体側制御手段は、
前記玩具本体に対する前記リモコンの着脱状態を検知する着脱検知手段と、
前記リモコンが前記玩具本体に対して装着されている場合と、脱着されている場合とで、出力される前記操作信号または前記制御信号の種類を切り替える信号切替手段と、を有することを特徴とするリモコン玩具。
【請求項２】
請求項１記載のリモコン玩具において、
前記リモコン側制御手段は、無線通信により前記玩具本体に対して前記操作信号を送信することを特徴とするリモコン玩具。
【発明の詳細な説明】
【技術分野】
【０００１】
本発明は、リモコンによって玩具本体を動作させるリモコン玩具に関する。
【背景技術】
【０００２】
従来、リモコンによって玩具本体を動作させるリモコン玩具においては、リモコンに加速度センサや傾斜センサが搭載されており、リモコンを動かすことによって玩具本体を動作させるようになっている（例えば、特許文献１，２参照）。
【特許文献１】特開平５−１１１０８２号公報
【特許文献２】特開２００２−２２４４６３号公報
【発明の開示】
【発明が解決しようとする課題】
【０００３】
ところで、近年、ユーザからはより多様な遊び方のできるリモコン玩具の開発が望まれている。この点、上記のようなリモコン玩具においては、リモコンと玩具本体とが別体となっており、センサがリモコンにしか搭載されていないため、玩具本体を持って遊ぶときにはリモコンを持てず、玩具本体を動作させることができない。一方、リモコンとは別個に玩具本体にも加速度センサや傾斜センサを搭載させると、コストが嵩んでしまう。
【０００４】
本発明の課題は、従来と比較して高コスト化を防止しつつ多様な遊び方を実現することのできるリモコン玩具を提供することである。
【課題を解決するための手段】
【０００５】
請求項１記載の発明は、リモコン玩具であって、
動作制御可能な玩具本体と、
前記玩具本体に着脱可能に形成されたリモコンと、
を備え、
前記リモコンは、
当該リモコンの加速度及び傾きの少なくとも一方を検知する状態検知手段と、
前記状態検知手段による検知結果に対応する種類の操作信号を前記玩具本体に対して出力するリモコン側制御手段と、
を有し、
前記玩具本体は、
前記操作信号を受信して当該操作信号に対応する種類の制御信号を出力する本体側制御手段と、
前記制御信号に対応する種類の動作を行う動作手段と、
を有し、
前記リモコン側制御手段または前記本体側制御手段は、
前記玩具本体に対する前記リモコンの着脱状態を検知する着脱検知手段と、
前記リモコンが前記玩具本体に対して装着されている場合と、脱着されている場合とで、出力される前記操作信号または前記制御信号の種類を切り替える信号切替手段と、を有することを特徴とする。
【０００６】
請求項２記載の発明は、請求項１記載のリモコン玩具において、
前記リモコン側制御手段は、無線通信により前記玩具本体に対して前記操作信号を送信することを特徴とする。
【発明の効果】
【０００７】
本発明によれば、状態検知手段を有するリモコンが玩具本体に対して着脱可能に形成されているため、当該リモコンを玩具本体に装着することにより、玩具本体を持って遊ぶ時にも、当該玩具本体を介してリモコンを操作し、玩具本体を動作させることができる。また、リモコンが玩具本体に対して装着されている場合と、脱着されている場合とで異なる種類の信号が出力されるので、リモコンを同じように動かす場合であっても、リモコンの装着時と脱着時とで玩具本体に異なる動作をさせることができる。従って、従来と比較して多用な遊び方を実現することができる。また、玩具本体にセンサを搭載せずに多用な遊び方を実現するため、従来と比較して高コスト化を防止することができる。
【発明を実施するための最良の形態】
【０００８】
以下、本発明の実施形態に係るリモコン玩具について説明する。
［リモコン玩具の概略構成］
図１は、本発明に係るリモコン玩具１の概略構成を示す概観図である。
この図に示すように、リモコン玩具１は、リモコン２と、当該リモコン２によって動作制御可能な玩具本体３とを備えている。
【０００９】
なお、これらのリモコン２及び玩具本体３は、互いに関連性のある特定の２つの対象を外観より想起し得る表現で表したものであり、本実施の形態においては、骨及び犬の形状となっている。そして、骨の形状の当該リモコン２は、犬の形状の玩具本体３における口部分３ａに対して着脱可能となっている。また、リモコン２は、当該リモコン２の上下及び前後を識別するためのマークＭを上面に有しており、玩具本体３から脱着されている状態では、通常は当該マークＭを上側に向けた状態で操作されるようになっている。
【００１０】
［リモコンの機能構成］
図２は、リモコン２及び玩具本体３の概略構成を示すブロック図である。
この図に示すように、リモコン２は、電源スイッチ２０、傾斜センサ２１、加速度センサ２２、記憶部２３、送信機２４及び制御部２５を備えている。
【００１１】
電源スイッチ２０は、リモコン２内部の電源（図示せず）に接続されており、当該電源のＯＮ・ＯＦＦを切り替えるようになっている。
【００１２】
傾斜センサ２１は、ユーザ操作によるリモコン２の傾きを検知するものであり、本実施の形態においては、リモコン２の上下と、上面（図１中、上側の面）の傾きとを検知するようになっている。
【００１３】
加速度センサ２２は、ユーザ操作によるリモコン２の移動方向及び加速度を検知するようになっている。
なお、以上のような傾斜センサ２１や加速度センサ２２としては、従来より公知のものを用いることができる。
【００１４】
記憶部２３は、傾斜センサ２１及び加速度センサ２２の検知結果についての区分と、送信機２４から玩具本体３に対して送信されるべき操作信号の種類（後述の図３における「受信機から制御部への信号」の欄を参照）とを対応付けて記憶している。
【００１５】
送信機２４は、玩具本体３における後述の受信機３１に対して各種信号を無線送信するものである。
【００１６】
制御部２５は、リモコン２の各部を制御するものである。この制御部２５は、本実施の形態においては、記憶部２３内の情報に基づいて、傾斜センサ２１及び加速度センサ２２による検知結果に対応する種類の操作信号を、送信機２４を介して玩具本体３に出力するようになっている。
【００１７】
［玩具本体の機能構成］
玩具本体３は、電源スイッチ３０、受信機３１、リモコン着脱センサ３２、動作部３３、制御部３４及び記憶部３５を備えている。
【００１８】
電源スイッチ３０は、玩具本体３内部の電源（図示せず）に接続されており、当該電源のＯＮ・ＯＦＦを切り替えるようになっている。
【００１９】
受信機３１は、リモコン２の送信機２４から送信される操作信号を受信するものであり、受信した信号を制御部３４に送信するようになっている。
【００２０】
リモコン着脱センサ３２は、玩具本体３に対するリモコン２の着脱状態を検知するようになっている。なお、本実施の形態においては、リモコン着脱センサ３２は、玩具本体３の口部分３ａ（図１参照）に設けられており、リモコン２が玩具本体３に装着された場合に、制御部３４に対してＯＮ信号を送信するようになっている。
【００２１】
動作部３３は、制御部３４からの制御信号に対応する種類の動作を行う部分であり、本実施の形態においては、玩具本体３の首関節部や足関節部、顎関節部などをモータによって動かしたり、犬の泣き声などをスピーカによって音声出力したりするようになっている。なお、このような動作部３３としては、従来より公知のものを用いることができる。
【００２２】
制御部３４は、玩具本体３の各部を制御するものである。この制御部３４は、本実施の形態においては、後述の記憶部３５内の情報に基づいて、受信機３１からの信号（リモコン２の送信機２４からの操作信号）に対応する種類の制御信号を動作部３３に対して送信するようになっている。
【００２３】
記憶部３５は、図３に示すように、玩具本体３に対してリモコン２が装着されている場合と、脱着されている場合とに分けて、受信機３１から制御部３４に送信される信号の種類と、制御部３４から動作部３３に対して送信されるべき制御信号の種類（玩具本体３が行うべき動作の種類）とを対応付けて記憶している。
【００２４】
［リモコン玩具の動作］
まず、玩具本体３及びリモコン２の各電源スイッチ２０，３０をＯＮにする。
【００２５】
次に、ユーザがリモコン２を持って動かすと、当該リモコン２の傾斜センサ２１及び加速度センサ２２がリモコン２の傾きや移動方向、加速度を検知する。
次に、制御部２５が記憶部２３内の情報に基づいて、傾斜センサ２１及び加速度センサ２２の検知結果に対応する種類の操作信号を送信機２４から受信機３１に対して送信させる。
【００２６】
次に、玩具本体３の制御部３４が、上述の図３に示すように、記憶部３５内の情報に基づいて、リモコン着脱センサ３２の検知結果と、受信機３１からの信号とに対応する種類の制御信号を動作部３３に対して送信する。これにより、リモコン２が玩具本体３に対して装着されている場合と、脱着されている場合とで、動作部３３に送信される制御信号の種類が切り替えられる。
【００２７】
そして、制御信号に対応する種類の動作を動作部３３が行う。例えば、ユーザによってリモコン２が玩具本体３から脱着され、上下正しい向きの状態から右側に動かされた場合には、その旨の信号が受信機３１から制御部３４に送信された後、玩具本体３の頭部を右側に動かす旨の制御信号が制御部３４から動作部３３に送信される結果、動作部３３が玩具本体３の頭部を右側に動かす。また、ユーザによってリモコン２が玩具本体３に装着され、玩具本体３がリモコン２とともに動かされた場合には、その旨の信号が受信機３１から制御部３４に送信された後、犬の喜ぶ声を出す旨の制御信号が制御部３４から動作部３３に送信される結果、動作部３３が喜ぶ声を音声出力する。
【００２８】
以上のリモコン玩具１によれば、傾斜センサ２１及び加速度センサ２２を有するリモコン２が玩具本体３に対して着脱可能に形成されているため、当該リモコン２を玩具本体３に装着することにより、玩具本体３を持って遊ぶ時にも、当該玩具本体３を介してリモコンを操作し、玩具本体３を動作させることができる。また、リモコン２が玩具本体３に対して装着されている場合と、脱着されている場合とで異なる種類の制御信号が制御部３４から動作部３３に送信されるので、リモコン２を同じように動かす場合であっても、リモコン２の装着時と脱着時とで玩具本体３に異なる動作をさせることができる。従って、従来と比較して多用な遊び方を実現することができる。また、玩具本体３に傾斜センサ２１や加速度センサ２２を搭載せずに多用な遊び方を実現するため、従来と比較して高コスト化を防止することができる。
【００２９】
以上、本発明の実施形態について説明したが、本発明は、かかる実施形態に限定されるものでなく、その要旨を逸脱しない範囲で種々変形可能であることはいうまでもない。
【００３０】
例えば、送信機２４は玩具本体３に対するリモコン２の着脱状態に関わらず、制御部２５からの操作信号を受信機３１に対して無線送信することとして説明したが、予め玩具本体３の口部分３ａとリモコン２の側周面とに有線通信可能な端子を設けておき、リモコン２が玩具本体３に装着されている状態では、当該端子を利用して有線通信することとしても良い。
【００３１】
また、本発明における状態検知手段を傾斜センサ２１及び加速度センサ２２として説明したが、リモコン２の移動、或いは傾き状態が検知できる限りにおいて、他のセンサとしても良い。
【００３２】
また、リモコン２の制御部２５は記憶部２３内の情報に基づいて傾斜センサ２１及び加速度センサ２２の検知結果に対応する種類の操作信号を送信機２４から受信機３１に送信させることとして説明したが、傾斜センサ２１及び加速度センサ２２の検知結果をそのまま送信機２４から受信機３１に送信させることとしても良い。但し、この場合には、玩具本体３の記憶部３５には、傾斜センサ２１及び加速度センサ２２による検知結果の区分と、制御部３４から動作部３３に対して送信されるべき制御信号の種類とが対応付けられて記憶され、制御部３４はこの記憶部３５内の情報に基づいて、受信機３１からの信号に対応する種類の制御信号を動作部３３に対して送信する。
【００３３】
また、玩具本体３の記憶部３５には、玩具本体３に対するリモコン２の装着時，脱着時に分けて、制御部３４から動作部３３に送信されるべき制御信号の種類が記憶され、これにより、リモコン２が玩具本体３に対して装着されている場合と、脱着されている場合とで、玩具本体３の制御部３４から動作部３３に送信される制御信号の種類が切り替えられることとして説明したが、玩具本体３に対するリモコン２の装着時，脱着時に分けて、送信機２４から玩具本体３に対して送信されるべき操作信号の種類がリモコン２の記憶部２３に記憶され、これにより、リモコン２が玩具本体３に対して装着されている場合と、脱着されている場合とで、リモコン２の送信機２４から玩具本体３の受信機３１に送信される操作信号の種類が切り替えられることとしても良い。この場合であっても、リモコン２の装着時と脱着時とで玩具本体３に異なる動作をさせることができる。
【００３４】
また、玩具本体３，リモコン２を（犬，骨）の形状の組み合わせとして説明したが、例えば（ロボット，電池）の形状や、（赤ちゃん，哺乳瓶）の形状、（乗り物，乗組員）の形状、（乗り物，カギ）の形状、（楽隊，指揮棒）の形状、（本，しおり）の形状、（ノート，ペン）の形状、（ボール，スティック）の形状、（携帯，ストラップ）の形状など、他の形状の組み合わせとしても良い。
【００３５】
ここで、玩具本体３，リモコン２を（ロボット，電池）の形状の組み合わせとする場合には、リモコン２を玩具本体３（ロボット）の擬似的な電池ボックスに対して装着できるようリモコン２及び玩具本体３を形成しておき、リモコン２を玩具本体３から脱着した状態ではリモコン２の移動により当該移動方向に玩具本体３が顔や手を向け、リモコン２を玩具本体３に装着した状態ではリモコン２及び玩具本体３の移動により玩具本体３が目を光らせたり、エンジン音を出したりするよう制御することが考えられる。
【００３６】
また、玩具本体３，リモコン２を（赤ちゃん，哺乳瓶）の形状の組み合わせとする場合には、リモコン２を玩具本体３（赤ちゃん）の口元に対して装着できるようリモコン２及び玩具本体３を形成しておき、リモコン２を玩具本体３から脱着した状態ではリモコン２の移動により当該移動方向に玩具本体３が顔や手を向け、リモコン２を玩具本体３に装着した状態ではリモコン２及び玩具本体３の移動により玩具本体３が喜ぶ表情をしたり、笑い声を出したりするよう制御することが考えられる。
【００３７】
また、玩具本体３，リモコン２を（乗り物，乗組員）や（乗り物，カギ）の形状の組み合わせとする場合には、リモコン２を玩具本体３（乗り物）の運転席に対して装着できるようリモコン２及び玩具本体３を形成しておき、リモコン２を玩具本体３から脱着した状態ではリモコン２の移動により当該移動方向に玩具本体３が移動し、リモコン２を玩具本体３に装着した状態ではリモコン２及び玩具本体３の移動により玩具本体３がライトを光らせたり、エンジン音を出したりするよう制御することが考えられる。
【００３８】
また、玩具本体３，リモコン２を（楽隊，指揮棒）の形状の組み合わせとする場合には、リモコン２を玩具本体３（楽隊）の指揮台に対して装着できるようリモコン２及び玩具本体３を形成しておき、リモコン２を玩具本体３から脱着した状態ではリモコン２の移動により当該移動方向に対応する楽器の音を玩具本体３が出力し、リモコン２を玩具本体３に装着した状態ではリモコン２及び玩具本体３の移動により玩具本体３が全楽器による音楽を出力するよう制御することが考えられる。
【図面の簡単な説明】
【００３９】
【図１】本発明に係るリモコン玩具の概観図である。
【図２】本発明に係るリモコン玩具の概略構成を示すブロック図である。
【図３】リモコンに対する操作と玩具本体の動作との対応を示す図である。
【符号の説明】
【００４０】
１  リモコン玩具
２  リモコン
３  玩具本体
２１  傾斜センサ（状態検知手段）
２２  加速度センサ（状態検知手段）
２５  制御部（リモコン側制御手段）
３２  リモコン着脱センサ（着脱検知手段）
３３  動作部（動作手段）
３４  制御部（本体側制御手段）
３５  記憶部（信号切替手段）
【図１】
2008295519.tif 000003
【図２】
2008295519.tif 000004
【図３】
2008295519.tif 000005